(57)【要約】      （修正有）【課題】コードの収納及び交換が容易なコード保持装置の提供。【解決手段】刈払機の駆動軸に着脱自在に取り付けられ、本体部とカバー部よりなるコード保持装置において、前記本体部は、底部を有する筒状胴部と、前記筒状胴部の外周端部に設けられた前記カバー部を固定するカバー螺設部と、前記筒状胴部の外周部に設けられたコードを巻回収納する空隙を形成する大径フランジおよび小径フランジより構成されており、前記大径フランジと小径フランジ間には筒状胴部の内周部から外周部に貫通する２個のコード挿通孔が近接して設けられている。【選択図】図３
0003116518.tif 000002
【実用新案登録請求の範囲】
【請求項１】
刈払機の駆動軸に着脱自在に取り付けられ、本体部とカバー部よりなるコード保持装置において、前記本体部は、底部を有する筒状胴部と、前記筒状胴部の外周端部に設けられた前記カバー部を固定するカバー螺設部と、前記筒状胴部の外周部に設けられたコードを巻回収納する空隙を形成する大径フランジおよび小径フランジとより構成されており、前記大径フランジと小径フランジ間には筒状胴部の内周部から外周部に貫通する２個のコード挿通孔が近接して設けられていることを特徴とするコード型刈払機のコード保持装置。
【請求項２】
前記コード挿通孔は、外周側の口径が内周側の口径より大きく、且つ、本体回転方向の後部壁側がテーパー状に形成されていることを特徴とする請求項１記載のコード型刈払機のコード保持装置。
【考案の詳細な説明】
【技術分野】
【０００１】
この考案は、雑草等を刈払う刈払機に係るもので、より詳しくはナイロンコ−ド等を用いたコード型刈払機のコード保持装置に関するものである。
【背景技術】
【０００２】
従来、回転軸に着脱自在に固着される円盤等の回転板体に対して、これの周辺に一定長の刈払い用の弾性コードを刈刃として突出させ、前記円盤の回転により前記弾性刈刃コードを前記円盤と一体に回転させて雑草などを刈払う刈払機について種々の技術が提案されている。また、前記弾性刈刃コードは比較的硬質の合成樹脂製コードやばね線材を用いて形成され、一定長が前記円盤の外周に臨むように、該円盤に強大な遠心力を受けるなどしても容易に抜けないように取り付けられている。
【０００３】
例えば、コード型刈払機のコード収納部材Ｂのコード保持機構としては、図４〜図６に示すようなものがある。図４においてはコード５の端部５ａに結び目５ｂを作り、コード５の本体ケース外部への抜け出しを防止するものである。図５のものは、コード５の中央部５ｃをコード収納部材Ｂの筒状胴部外面２６に設けたフック２３に引掛けて、コード５を保持し該コード収納部材Ｂに巻回収納するものである（例えば、特許文献１参照。）。また図６は、コード収納部材Ｂの筒状胴部外面２６に設けたコード保持部２４の貫通孔２５にコード５の端部５ａをコード中央部５ｃが該コード保持部２４に至るまで通し、該コード中央部５ｃでコード５を折り曲げ該コード５をコード収納部材Ｂに巻回収納するものである（例えば、特許文献２参照。）。
【特許文献１】実公平２−５７１５号公報
【特許文献２】実公平１−３５６２９号公報
【考案の開示】
【考案が解決しようとする課題】
【０００４】
しかしながら、図４に示すコード保持機構では、コード５の端部５ａに係止部材をカシメ等によって固定する必要がある。従って、刈刃用として特別に作成された高価な定尺ナイロンコードなどを用いる必要があり、加えて、弾性刈刃コードの交換が構造上から面倒になるなどの問題点があった。
【０００５】
上記の問題を解決するために、図５や図６に記すコード保持機構が考案されているが、図５や図６に示すコード保持機構では、長いコードの中央部５ｂを探すのはとても煩雑かつ面倒である。また、図６においては長いコードの一端をコード収納部材Ｂの筒状胴部外面２６に設けたコード保持部２４の貫通孔２５にコード中央部５ｃが該コード保持部２４に至るまで通さなければならない為、コード収納部材Ｂへのコード巻回収納作業は一層の困難を増すという問題があった。
【課題を解決するための手段】
【０００６】
前記課題を解決するために、本考案では、刈払機の駆動軸に着脱自在に取り付けられ、本体部とカバー部よりなるコード保持装置において、前記本体部は、底部を有する筒状胴部と、前記筒状胴部の外周端部に設けられた前記カバー部を固定するカバー螺設部と、前記筒状胴部の外周部に設けられたコードを巻回収納する空隙を形成する大径フランジおよび小径フランジより構成されており、前記大径フランジと小径フランジ間には筒状胴部の内周部から外周部に貫通する２個のコード挿通孔が近接して設けられているコード型刈払機のコード保持装置としている。また、前記コード挿通孔は、外周側の口径が内周側の口径より大きく、且つ、本体回転方向の後部壁側がテーパー状に形成されている。
【考案の効果】
【０００７】
本考案によるコード保持装置では、本体部の大径フランジと小径フランジ間に筒状胴部の内周部から外周部に貫通する２個のコード挿通孔が近接して設けられている。これにより、筒状胴部の外周にコードを収納する際、特許文献１及び２に示すように、長いコードの中央部を探さなくてもよく、また貫通孔にコードの中央部まで通さなくてもよい。本考案では、コードの端部を一方の挿通孔の外側から内側に挿入後、他方の挿通孔の内側から外側に取り出して、筒状胴部の外周部に巻回することにより、確実に端部を固定できると共に、コードの巻回収納作業を容易に行うことができる。
【考案を実施するための最良の形態】
【０００８】
本考案の最良の実施形態について、図面に基づいて説明するが、本考案はこれに限定されるものではなく、要旨を変更しない範囲において適宜変更が可能である。図１は本考案の組立断面図、図２は本体部の断面図、図３は図２のＡ−Ａ断面図である。本考案のコード保持装置１は、本体部２とカバー部３より構成されている。前記本体部２は、合成樹脂等により一体成形されたもので、底部２０を有する筒状胴部２１と、前記筒状胴部２１の外周端部に設けられた前記カバー部３を固定する螺設部２２と、前記筒状胴部２１の外周部にコード５を巻回収納する空隙を形成する大径フランジ２７及び小径フランジ２８が設けられている。
【０００９】
筒状胴部２１は内部に空間が形成されており、この空間には刈払機の駆動軸との係合部材（図示しない）や、コード自動繰出機構（図示しない）の弾性体及び突出部等が挿入される。前記筒状胴部２１の外周端部に設けられた前記カバー部３を固定する螺設部２２は雄ネジが設けられており、カバー部３の雌ネジと螺合されてコード保持装置１が一体化される。また、前記筒状胴部２１の外周部にはコード５を巻回収納する空隙を形成する大径フランジ２７及び小径フランジ２８が設けられている。この大径フランジ２７及び小径フランジ２８の間の筒状胴部２１には、筒状胴部２１の内周部から外周部に貫通する２個のコード挿通孔２９が近接して設けられている。この２個のコード挿通孔２９は矩形であり、外周側の口径が内周側の口径より大きく、且つ、本体回転方向の後部壁側がテーパー状に形成されている。これは、図３に示すようにコード５を筒状胴部２１に巻回保持するときに、コード５の保持を容易にするためのものである。なお、本実施形態では、コード５を１本使用する例を示しているが、コード５を２本使用できるようにするためには、前記２個のコード挿通孔２９とは反対側の相対位置に、２個のコード挿通孔２９を設ければよい。なお、前記挿通孔２９は矩形としているが、これに限定されるものではなく、円形、楕円形、多角形などとすることができる。
【００１０】
カバー部３は、軸心に取付孔３１が設けられた鋼製（例えばステンレス）の取付板３２と、該取付板３２の外周部を包囲した状態でカバーが一体成形されている。前記取付板３２は刈払機の駆動軸との係合部材（図示しない）や、コード自動繰出機構（図示しない）の弾性体及び突出部を着脱自在に取り付けるためのものである。また、本体部２に対向する面には等間隔で３箇所に係止ピン３３が設けられている。前記コード５は本体部２の外周部分から延出されて遠心力により雑草などを刈り払うが、大きな荷重がかかると前記係止ピン３３で係止されるので、筒状胴部２１に巻回保持されているコード５に絡むことがない。
【産業上の利用可能性】
【００１１】
上記したように、本考案は、雑草等を刈払うコード型刈払機のコード保持装置に関するものである。コード保持装置は、上述した以外に様々な形状・構造のものが作成されているが、ナイロンコードを筒状胴部の外周に巻回保持する構造のものであれば適用することができる。
【図面の簡単な説明】
【００１２】
【図１】本考案のコード保持装置の組立断面図である。
【図２】本考案の本体部の断面図である。
【図３】図２のＡ−Ａ線断面図である。
【図４】従来のコード保持部の断面図である。
【図５】従来のコード保持部の断面図である。
【図６】従来のコード保持部の断面図である。
【符号の説明】
【００１３】
１  コード保持装置
２  本体部
３  カバー部
５  コード
２０  底部
２１  筒状胴部
２２  螺設部
２７  大径フランジ
２８  小径フランジ
２９  コード挿通孔
３１  取付孔
３２  取付板
３３  係止ピン
【図１】
0003116518.tif 000003
【図２】
0003116518.tif 000004
【図３】
0003116518.tif 000005
【図４】
0003116518.tif 000006
【図５】
0003116518.tif 000007
【図６】
0003116518.tif 000008